(57)【特許請求の範囲】
【請求項１】
伝送路を介してデジタル伝送する信号伝送システムにおいて、
入力されたトランスポートストリームをデコードし、デジタル映像信号のベースバンド信号を出力するデコード手段と、
前記デコード手段から出力されたデジタル映像信号のベースバンド信号からブロックノイズを検出し、ブロックノイズの境界情報を検出するブロックノイズ検出手段と、
前記デコード手段から出力されたデジタル映像信号のベースバンド信号を有効画面期間に、前記ブロックノイズ検出手段から検出されたブロックノイズの境界情報を制御信号として水平同期期間又は垂直同期期間に時分割多重して前記伝送路に適した方式で前記伝送路に出力するトランスミッタを備えた信号源と、
前記トランスミッタから伝送路を介して送信されたデジタル映像信号のベースバンド信号と制御信号を受信するレシーバと、
前記レシーバで受信したデジタル映像信号のベースバンド信号のブロックノイズの除去を行うブロックノイズ除去フィルタと、
前記レシーバで受信したデジタル映像信号のベースバンド信号と前記ブロックノイズ除去フィルタから出力された信号とのいずれかを選択して出力する選択器と、
前記選択器で出力された信号を表示する表示部を備えた表示装置とからなり、
前記レシーバで受信したブロックノイズの境界情報を示す制御信号に基づいて、前記選択器において、前記レシーバで受信したデジタル映像信号のベースバンド信号と前記ブロックノイズ除去フィルタから出力された信号とのいずれかを表示部に出力するか決定することを特徴とする信号伝送システム。
【請求項２】
伝送路を介してデジタル伝送する信号伝送システムにおいて、
入力されたトランスポートストリームをデコードし、音声信号とデジタル映像信号のベースバンド信号を出力するデコード手段と、
前記デコード手段から出力されたデジタル映像信号のベースバンド信号からブロックノイズを検出し、ブロックノイズの境界情報を検出するブロックノイズ検出手段と、
前記デコード手段から出力されたデジタル映像信号のベースバンド信号を有効画面期間に、前記音声信号と前記ブロックノイズ検出手段から検出されたブロックノイズの境界情報からなる制御信号とを音声制御多重信号として水平同期期間又は垂直同期期間に時分割多重して前記伝送路に適した方式で前記伝送路に出力するトランスミッタを備えた信号源と、
前記トランスミッタから伝送路を介して送信されたデジタル映像信号のベースバンド信号と音声制御多重信号を受信するレシーバと、
前記レシーバで受信したデジタル映像信号のベースバンド信号のブロックノイズの除去を行うブロックノイズ除去フィルタと、
前記レシーバで受信したデジタル映像信号のベースバンド信号と前記ブロックノイズ除去フィルタから出力された信号とのいずれかを選択して出力する選択器と、
前記選択器で出力された信号を表示する表示部とを備えた表示装置からなり、
前記レシーバで受信したブロックノイズの境界情報を示す制御信号に基づいて、前記選択器において、前記レシーバで受信したデジタル映像信号のベースバンド信号と前記ブロックノイズ除去フィルタから出力された信号とのいずれかを表示部に出力するか決定することを特徴とする信号伝送システム。
【請求項３】
前記ブロックノイズ検出手段におけるブロックノイズの検出は、画面中の予め特定された領域のみ行うことを特徴とする請求項１記載の信号伝送システム。
【請求項４】
前記信号伝送システムは、前記トランスミッタにおいてさらに、
前記制御信号と前記音声信号のいずれかを選択して出力する第１のセレクタと、
垂直同期信号及び水平同期信号を入力としてラインをカウントする水平ラインカウンタと、
前記水平ラインカウンタのカウント数に基づいて前記第１のセレクタにおいて前記制御信号と前記音声信号のいずれを選択することを制御する第１の制御部を備えており、
前記レシーバにおいてさらに、
前記音声制御多重信号から制御信号又は音声信号のいずれかを選択して出力する第２のセレクタと、
垂直同期信号及び水平同期信号を入力としてラインをカウントする水平ラインカウンタと、
前記水平ラインカウンタのカウント数に基づいて前記第２のセレクタにおいて前記制御信号と前記音声信号のいずれを選択することを制御する第２の制御部を備えており、
前記制御信号及び前記音声信号は、前記水平ラインカウンタの予め定められたカウント数において時分割多重されていることを特徴とする請求項２又は３記載の信号伝送システム。
【請求項５】
前記信号伝送システムは、前記送信源においてさらに、
前記音声信号を音声信号のサンプリング周波数で入力し、映像信号のサンプリング周波数で時間軸圧縮して前記トランスミッタに出力する時間軸圧縮部と、
前記表示装置においてさらに、
前記レシーバにより受信した時間軸圧縮された音声信号を映像信号のサンプリング周波数で入力し、音声信号のサンプリング周波数で時間軸伸張して出力する時間軸伸張部を備え、
前記トランスミッタから映像信号と音声信号を同じサンプリング周波数で伝送することを特徴とする請求項２から４のいずれか記載の信号伝送システム。
【請求項６】
伝送路を介してデジタル伝送する信号源であって、
入力されたトランスポートストリームをデコードし、デジタル映像信号のベースバンド信号を出力するデコード手段と、
前記デコード手段から出力されたデジタル映像信号のベースバンド信号からブロックノイズを検出し、ブロックノイズの境界情報を検出するブロックノイズ検出手段と、
前記デコード手段から出力されたデジタル映像信号のベースバンド信号を有効画面期間に、前記ブロックノイズ検出手段から検出されたブロックノイズの境界情報を制御信号として水平同期期間又は垂直同期期間に時分割多重して前記伝送路に適した方式で前記伝送路に出力するトランスミッタとを備え、
前記信号源からの信号を受信した表示装置において、ブロックノイズの境界情報を示す制御信号に基づいて、前記表示装置が受信したデジタル映像信号のベースバンド信号と前記表示装置におけるブロックノイズ除去フィルタから出力された信号とのいずれかを表示部に出力するか決定することを特徴とする信号源。
【発明の詳細な説明】
【０００１】
【発明の属する技術分野】
本発明は、ディジタルベースバンド信号を伝送する信号送信装置及び信号受信装置に関するものである。
【０００２】
【従来の技術】
従来のディジタル信号の伝送方法の１つであるＤＶＩ（Digital Visual Interface）規格の信号伝送システムについて図２５を用いて説明する。図２５は、従来の伝送システムの１つであるＴＭＤＳ（Transition  Minimized  Differential  Signaling）というシリアル転送方式を実現する構成を示す図である。
【０００３】
図において、２６０１〜２６０３は信号送信装置に設けられたＴＭＤＳエンコーダ／シリアライザであり、入力されたＲＥＤ，ＧＲＥＥＮ，ＢＬＵＥといったコンポーネント信号をＴＭＤＳエンコードし、シリアライズして伝送路に送出する。２６０４〜２６０６は信号受信装置に設けられたＴＭＤＳデコーダ／リカバリーであり、受信した信号をＴＭＤＳデコードし、リカバーしてコンポーネント信号を復元する。ＤＥ（データイネーブル）信号は、ＲＥＤ，ＧＲＥＥＮ，ＢＬＵＥといったコンポーネント信号が存在する期間を示す信号で、ＨＩＧＨアクティブの信号である。例えば、ＤＥ信号がＬＯＷとなる期間というのは、映像の水平同期信号期間あるいは垂直同期信号期間である。また、ＣＴＬ(コントロール)信号ＣＴＬ０，ＣＴＬ１，ＣＴＬ２，ＣＴＬ３は、制御信号として用意されている。しかしながら、現在のＤＶＩ規格ではＣＴＬ１，ＣＴＬ２，ＣＴＬ３の信号は未使用状態である。具体的には信号のレベルが常時０になっている。
【０００４】
以上のように構成された従来の信号伝送システムについて説明する。
信号送信装置のＴＭＤＳエンコーダ／シリアライザ２６０１〜２６０３では、８ビットで入力された映像信号（ＲＧＢ信号）を１０ビットに変換し、シリアライズして伝送路に送出する。８ビット／１０ビット変換の目的は、データの変化点を少なくして高速伝送に適した形にするためである。また、ＴＭＤＳエンコーダ／シリアライザ２６０１〜２６０３では、ＣＴＬ信号２ビットを１０ビットに変換して伝送路に送出する。また、ＤＥ信号も合わせてエンコード，シリアライズされ伝送路に送出される。
【０００５】
信号受信装置のＴＭＤＳデコーダ／リカバリー２６０４〜２６０６では、伝送路から受け取った１０ビットのシリアルデータを色信号の８ビット，ＤＥ信号，ＣＴＬ信号の２ビットにデコードして展開する。
【０００６】
【発明が解決しようとする課題】
しかしながら、ＤＶＩ規格は、映像信号（ＲＧＢ信号）のみを伝送する規格であり、従来の信号伝送システムでは、音声信号及びモニタを制御するための制御信号を伝送することができないという問題点があった。ここで、モニタを制御する信号とは、接続するデバイスに特徴を生かした処理を行うための制御信号である。以降、モニタを制御する信号のことを単に制御信号と呼ぶことにする。
【０００７】
つまり、従来では、音声信号は別ラインで伝送されており、ユーザにとっては信号送信装置と信号受信装置間のケーブル接続が非常に複雑であり、また、音声信号にコピープロテクションがかかっていないという課題もあった。さらに、制御信号は現状のアナログ接続でなく、垂直ブランキング期間（ＶＢＫ）に映像の補助信号としてしか送信できず、帯域も非常に少ないため、高度な処理ができず、エラーが多く生じていた。
【０００８】
本発明は、上記問題点を解消するためになされたものであり、映像信号とともに、音声信号及びモニタを制御するための制御信号を伝送可能なＤＶＩ規格に適合する信号伝送システムを実現可能な信号送信装置及び信号受信装置を提供することを目的とする。
【０００９】
【課題を解決するための手段】
上記課題を解決するために、第１の信号送信装置の発明は、音声信号を時間軸上で圧縮し、時間軸圧縮音声信号として出力する時間軸圧縮部と、映像信号と制御信号と上記時間軸圧縮音声信号とを多重し、映像音声制御多重信号として外部へ出力する多重部と、を備えたことを特徴とするものである。
これにより、映像信号と音声信号と制御信号を多重し伝送でき、その結果、アナログ信号に変換することなく、高品質の多種多様のディジタル音声信号を伝送できるとともに、高速でエラーの少ない伝送が可能となる。
【００１０】
第２の信号送信装置の発明は、第１の信号送信装置の発明において、上記多重部は、画面の水平ライン数をカウントする第１の水平ラインカウンタと、上記制御信号と上記時間圧縮音声信号のいずれか一方を選択し出力する第１のセレクタと、上記第１のセレクタを制御する第１の多重制御部と、上記第１のセレクタの出力信号と上記映像信号とを選択し出力する第２のセレクタと、上記第２のセレクタを制御する第２の多重制御部と、を備えたことを特徴とするものである。
これにより、映像信号と時間軸圧縮音声信号と制御信号との多重を容易に行うことができる。
【００１１】
第３の信号送信装置の発明は、ＲＧＢの映像信号をシリアルデータとして送信する信号送信装置において、ＲＥＤ、ＧＲＥＥＮ、ＢＬＵＥの信号線のいずれか、もしくは全ての映像信号のブランキング部分に、接続するモニタ等を制御する制御信号を多重し送信することを特徴とするものである。
これにより、映像信号と音声信号と制御信号を多重し伝送でき、その結果、アナログ信号に変換することなく、高品質の多種多様のディジタル音声信号を伝送できるとともに、高速でエラーの少ない伝送が可能となる。
【００１２】
第４の信号送信装置の発明は、第３の信号送信装置の発明において、音声信号を時間軸上で圧縮し、時間軸圧縮音声信号として出力する時間軸圧縮部と、上記時間軸圧縮音声信号を分解し、第１のコントロール信号、第２のコントロール信号、第３のコントロール信号に重畳する分解部と、上記第１のコントロール信号に上記制御信号を重畳する制御信号重畳手段と、を備えたことを特徴とするものである。
これにより、映像信号に時間軸圧縮した音声信号と制御信号を重畳し、ＤＶＩ規格に適合する信号伝送システムを実現可能である。
【００１３】
第５の信号送信装置の発明は、第１から第４の信号送信装置の発明において、上記制御信号は、制御信号の内容を全メーカで規定する部分と、各メーカ独自の制御信号部分とからなるものであることを特徴とするものである。
これにより、同一のメーカ接続時に、高画質に表示することができる信号伝送システムを実現可能である。
【００１４】
第６の信号送信装置の発明は、第１から第４の信号送信装置の発明において、上記制御信号は、制御信号の内容を全メーカで規定する部分と、機器を判別するための機器判別制御部分と、メーカ毎の独自の制御信号部分とからなるものであることを特徴とするものである。
これにより、信号を送信すべき機器を特定し、同一のメーカ接続時に、高画質に表示することができる信号伝送システムを実現可能である。
【００１５】
第７の信号送信装置の発明は、第１から第４の信号送信装置の発明において、上記制御信号は、映画のシーケンスを判別する情報を含むことを特徴とするものである。
これにより、２４Ｐや３０Ｐ信号等の特殊シーケンスを信号受信装置へ伝送し、受信側で高画質にモニタ表示することができる信号伝送システムを実現可能である。
【００１６】
第８の信号送信装置の発明は、第１から第４の信号送信装置の発明において、上記制御信号は、映像の圧縮率を示す情報を含むことを特徴とするものである。
これにより、最適な画質で表示できる信号伝送システムを実現可能である。
【００１７】
第９の信号送信装置の発明は、第１から第４の信号送信装置の発明において、上記制御信号は、映像のフレーム情報を含むことを特徴とするものである。
これにより、最適な画質で表示できる信号伝送システムを実現可能である。
【００１８】
第１０の信号送信装置の発明は、第１から第４の信号送信装置の発明において、上記制御信号は、映像がデータ放送画面であるか、あるいは、通常の動画面であるかを判別する情報を含むことを特徴とするものである。
これにより、最適な画質で表示できる信号伝送システムを実現可能である。
【００１９】
第１１の信号送信装置の発明は、第１から第４の信号送信装置の発明において、上記制御信号は、映像のブロックノイズ位置を示す情報を含むことを特徴とするものである。
これにより、映像信号のノイズ情報を受信装置に送信でき、その結果、ノイズ除去して表示する信号伝送システムを実現可能である。
【００２０】
第１２の信号受信装置の発明は、映像信号と時間軸圧縮された時間軸圧縮音声信号と制御信号とが多重された映像音声制御信号を受信する信号受信装置であって、上記映像音声制御信号を上記映像信号と上記時間軸圧縮音声信号と上記制御信号とに分離する分離部と、上記時間軸圧縮音声信号に対し時間軸伸長を行い、元の音声信号を復元する時間軸伸長部と、上記信号装置から映像クロックを受信し、該映像クロックを元に音声クロックを再生し、上記時間軸伸長部に出力する音声クロック再生部と、を備えたことを特徴とするものである。
これにより、映像信号と音声信号と制御信号を多重し伝送でき、その結果、アナログ信号に変換することなく、高品質の多種多様のディジタル音声信号を伝送できるとともに、高速でエラーの少ない伝送できる信号伝送システムを実現可能である。
【００２１】
第１３の信号受信装置の発明は、第１２の信号受信装置の発明において、上記分離部は、画面の水平ライン数をカウントする第２の水平ラインカウンタと、上記映像音声制御多重信号を映像信号と音声制御多重信号とに分離する第３のセレクタと、第３のセレクタを制御する第１の分離制御部と、上記音声制御多重信号を制御信号と時間軸圧縮音声信号とに分離する第４のセレクタと、上記第４のセレクタを制御する第２の分離制御部と、を備えたことを特徴とするものである。
これにより、映像音声制御多重信号から映像信号と時間軸圧縮音声信号と制御信号との分離を容易に行うことができる。
【００２２】
第１４の信号受信装置の発明は、ＲＧＢの映像信号をシリアルデータとして受信する信号受信装置において、ＲＥＤ、ＧＲＥＥＮ、ＢＬＵＥの信号線のいずれか、もしくは全ての映像信号のブランキング部分に多重された、接続するモニタ等を制御する制御信号を抽出することを特徴とするものである。
これにより、映像信号と音声信号と制御信号を多重し伝送でき、その結果、アナログ信号に変換することなく、高品質の多種多様のディジタル音声信号を伝送できるとともに、高速でエラーの少ない伝送できる信号伝送システムを実現可能である。
【００２３】
第１５の信号受信装置の発明は、第１４の信号受信装置の発明において、第１のコントロール信号から音声制御多重信号を抽出し、該音声制御多重信号を時間軸圧縮音声信号と制御信号とに分離する制御信号分離手段と、第２，第３のコントロール信号から抽出した時間軸圧縮音声信号と、上記制御信号分離手段により分離された上記時間軸圧縮音声信号とを合成する合成部と、上記合成された時間軸圧縮音声信号に対し時間軸伸長を行い、元の音声信号を復元する時間軸伸長部と、を備えたことを特徴とするものである。
これにより、映像音声制御多重信号から映像信号と時間軸圧縮した音声信号と制御信号とを分離し、時間軸圧縮音声信号を音声信号に復元することができ、ＤＶＩ規格に適合する信号伝送システムを実現可能である。
【００２４】
第１６の信号受信装置の発明は、第１２から第１５の信号受信装置の発明において、上記制御信号は、制御信号の内容を全メーカで規定する部分と、各メーカ独自の制御信号部分とからなるものであることを特徴とする。
これにより、同一のメーカ接続時に、高画質に表示することができる信号伝送システムを実現可能である。
【００２５】
第１７の信号受信装置の発明は、第１２から第１５の信号受信装置の発明において、上記制御信号は、制御信号の内容を全メーカで規定する部分と、機器を判別するための機器判別制御部分と、メーカ毎の独自の制御信号部分とからなるものであることを特徴とするものである。
これにより、信号を送信すべき機器を特定し、同一のメーカ接続時に、高画質に表示することができる信号伝送システムを実現可能である。
【００２６】
第１８の信号受信装置の発明は、第１２から第１５の信号受信装置の発明において、上記制御信号は、映画のシーケンスを判別する情報を含むことを特徴とするものである。
これにより、２４Ｐや３０Ｐ信号等の特殊シーケンスを受信し、高画質にモニタ表示することができる。
【００２７】
第１９の信号受信装置の発明は、第１２から第１５の信号受信装置の発明において、上記制御信号は、映像の圧縮率を示す情報を含むことを特徴とするものである。
これにより、最適な画質で表示できる信号伝送システムを実現可能である。
【００２８】
第２０の信号受信装置の発明は、第１２から第１５の信号受信装置の発明において、上記制御信号は、映像のフレーム情報を含むことを特徴とするものである。
これにより、最適な画質で表示できる信号伝送システムを実現可能である。
【００２９】
第２１の信号受信装置の発明は、第１２から第１５の信号受信装置の発明において、上記制御信号は、映像がデータ放送画面であるか、あるいは、通常の動画面であるかを判別する情報を含むことを特徴とするものである。
これにより、最適な画質で表示できる信号伝送システムを実現可能である。
【００３０】
第２２の信号受信装置の発明は、第１２から第１５の信号受信装置の発明において、上記制御信号は、映像のブロックノイズ位置を示す情報を含むことを特徴とするものである。
これにより、映像信号のノイズ情報を受信し、ノイズ除去して表示できる信号伝送システムを実現可能である。
【００３１】
【発明の実施の形態】
以下に、本発明の実施の形態について、図面を参照しながら説明する。なお、ここで示す実施の形態はあくまでも一実施例であって、必ずしもこの実施の形態に限定されるものではない。
【００３２】
実施の形態１．
図１は実施の形態１による信号伝送システムの構成を示す図である。
図１において、１０１は時間軸圧縮部であり、音声信号を時間軸上で圧縮するものである。ここで、時間軸圧縮部１０１の内部構成を図４に示す。図４において、時間軸圧縮部１０１は主にメモリで構成され、入力された音声信号をレート変換するものである。具体的には、入力のサンプリングクロックは音声のクロックｆａとし、出力のサンプリングクロックは映像のクロックｆｖとする。なお、ｆａは音声のサンプリングクロック周波数、ｆｖは映像のサンプリングクロック周波数である。また、時間圧縮部１０１の出力制御には多重制御信号を用いる。この多重制御信号は、水平同期信号と垂直同期信号との論理積（ＡＮＤ）をとったものとする。なお、水平同期信号と垂直同期信号は負論理とする。
【００３３】
１０２は多重部であり、映像信号と時間軸圧縮された音声信号とモニタを制御する信号（以降、制御信号と呼ぶ）を多重し、後述するデータライン１０６に送出するものである。ここで、多重部１０２の内部構成を図６に示す。図６において、１００１は第１のセレクタであり、制御信号と時間軸圧縮音声信号のうち、いずれか一方を選択するものである。１００２は第１の多重制御部であり、第１のセレクタ１００１を制御するものである。１００３は水平ラインカウンタであり、画面の水平ライン数をカウントするものである。１００４は第２のセレクタであり、映像信号と第１のセレクタ１００１の出力のいずれか一方を選択するものである。１００５は第２の多重制御部であり、第２のセレクタ１００４を制御するものである。
【００３４】
１０３は分離部であり、データライン１０６から伝送されてきた映像音声制御多重信号を分離するものである。ここで、分離部１０３の内部構成を図８に示す。図８において、２００１は第３のセレクタであり、映像音声制御多重信号を映像信号とそれ以外の信号に分離するものである。２００２は第１の分離制御部であり、第３のセレクタ２００１を制御するものである。２００３は第４のセレクタであり、時間軸圧縮音声信号と制御信号とが多重された音声制御多重信号を時間軸圧縮音声信号と制御信号に分離するものである。２００４は第２の分離制御部であり、第４のセレクタ２００３を制御するものである。２００５は第２の水平ラインカウンタであり、信号受信装置側で画面上の水平ライン数をカウントするものである。
【００３５】
１０４は時間軸伸長部であり、分離部１０３で分離された時間軸圧縮音声信号に対して時間軸伸長を行い、元の音声信号を復元するものである。ここで、時間軸伸長部１０４の内部構成を図１０に示す。図１０において、時間軸伸長部１０４は主にメモリで構成され、時間軸圧縮された音声信号を分離制御信号がＬＯＷの期間に映像のサンプリングクロックｆｖでもって入力し、音声のサンプリングクロック周波数ｆａでもって出力する。なお、分離制御信号は、水平同期信号（ＨＳＹＮＣ）と垂直同期信号（ＶＳＹＮＣ）の論理積（ＡＮＤ）である。ただし、水平同期信号、垂直同期信号、ともに負論理（Active  Low）とする。
【００３６】
１０５は音声クロック再生部であり、信号送信装置から送出された映像クロックを元に音声クロックを再生するものである。１０６はデータラインであり、信号送信装置と信号受信装置とを結ぶシリアルの伝送路である。１０７はクロックラインであり、信号送信装置から送られた映像クロックを信号受信装置に接続するものである。
【００３７】
ここで、映像信号と時間軸圧縮前の音声信号との関係について、図２に模式的に示す。なお、一般的に、映像信号は音声信号に対し、単位時間当たりのデータ量が多いので、映像信号の数サンプルにおき音声信号１サンプルがほぼ時間的に対応している。ここでは、時間的に圧縮した音声信号と、モニタを制御する制御信号を映像信号の存在しない領域に多重する。また、モニタを制御する制御信号としては、例えば、明るさ（ブライトネス）を制御する信号や、音量（ボリューム）を制御する信号などがある。具体的に映像信号の存在しない時間というのは、例えば、図３に示すように、映像信号の水平同期期間、垂直同期期間が挙げられる。図３において、有効画面以外の黒い部分がその同期期間に相当する。図３において、有効画面以外のハッチをつけた部分がその同期期間に相当する。この図３においては、例としてＭＰＥＧ２のＭＰ＠ＭＬ（メインプロファイルメインレベル）のＳＤ画面を例に挙げている。全画面は横に８５８画素、縦に５２５ラインである。その中の有効画面は横７２０画素、縦４８０ラインであり、全画面とこの有効画面の差が同期期間となる。この同期期間に音声信号とモニタ制御信号を多重化する。
【００３８】
以下に、本実施の形態１による信号伝送システムの動作について説明する。
まず、信号送信装置の動作の説明を行う。
音声信号は、図５に示すように、サンプリング周波数ｆａで時間軸圧縮部１０１に入力され、サンプリング周波数ｆｖでもってたたき出すことで、時間軸圧縮された音声信号が多重部１０２へ出力される。なお、この時間軸圧縮後の音声信号が出力されるのは多重制御信号がＬＯＷの期間である。この図５では、簡略化のため、多重制御信号がＬＯＷの期間に出力されるオーディオサンプル点の数を少なく表示しているが、実際に出力されるオーディオサンプル点はこれよりももっとはるかに多い。
【００３９】
そして、時間軸圧縮された音声信号と制御信号は、図７に示すように、多重部１０２により、映像信号の存在しない期間に多重化され、映像音声多重信号としてデータライン１０６に送出される。なお、図７において、白丸が映像信号のサンプル点、三角印が制御信号のサンプル点、黒丸が音声信号のサンプル点である。
【００４０】
ここで、多重部１０２の動作について、図６を用いてさらに具体的に説明すると、水平ラインカウンタ１００３で、垂直同期信号（ＶＳＹＮＣ）の立下りを起点とし、水平同期信号（ＨＳＹＮＣ）の立下り毎にカウントアップして、水平ライン数をカウントする。ただし、水平ラインカウンタ１００３の初期値を１とする。
【００４１】
水平ラインカウンタ１００３の出力が１の場合、第１の多重制御部１００２により、第１のセレクタ１００１の制御信号側（Ａ）が選択され、制御信号が第２のセレクタ１００４に出力される。
【００４２】
水平ラインカウンタ１００３の出力が２以上の場合、第１の多重制御部１００２により、第１のセレクタ１００１の音声信号側（Ｂ）が選択され、時間軸圧縮音声信号が第２のセレクタ１００４に出力される。そして、垂直同期期間（ＶＳＹＮＣがＬＯＷの期間）または、水平同期期間（ＨＳＹＮＣがＬＯＷの期間）のとき、第２の多重制御部１００５により第２のセレクタ１００４の制御信号と音声信号の選択出力側（Ｄ）が選択され、垂直同期期間でもなく、かつ、水平同期期間でもない期間、すわなち、有効画面期間のとき、第２の多重制御部１００５により第２のセレクタ１００４の映像信号側（Ｃ）が選択され、図３に示したように、１ライン目にモニタ制御信号が重畳され、２ライン目から４５ライン目に音声信号が重畳され、また、４６ライン目以降で水平同期期間にも音声信号が重畳され、データライン１０６に出力される。
【００４３】
このように、垂直同期期間の１ライン目に制御信号を重畳し、垂直同期期間の２ライン目以降に音声信号を重畳し、有効画面期間に映像信号に重畳し、水平同期期間に音声信号を重畳することで、映像信号と時間軸圧縮音声信号と制御信号とを多重した映像音声制御多重信号を得ることができる。
【００４４】
次に信号受信装置の動作の説明を行う。
信号送信装置からデータライン１０６を介して伝送された映像音声制御多重信号は、分離部１０３により、図９に示すように、映像信号と制御信号と時間軸音声信号とに分離される。
【００４５】
ここで、分離部１０３の動作を図８を用いてさらに詳細に説明すると、水平同期期間及び垂直同期期間以外の期間は、映像信号とみなされ、第１の分離制御部２００２により第３のセレクタ２００１がＥ側に接続され、映像信号が分離される。また、垂直同期期間または水平同期期間は、制御信号または音声信号が重畳されているものとして、第１の分離制御部２００２により第３のセレクタ２００１がＦ側に接続され、映像信号以外の信号、つまり、音声制御多重信号が分離され、第４のセレクタ２００３に出力される。そして、垂直同期期間の画面の１ライン目には制御信号が重畳されているものとして、第２の水平ラインカウンタ２００５が１ライン目をカウントすると、第２の分離制御部２００４により第４のセレクタ２００３がＧ側に接続され、制御信号を分離する。また、垂直同期期間の画面の２ライン目から４５ライン目（有効画面が始まるまで）は、音声信号が重畳されているものとして、第２の水平ラインカウンタ２００５が２ライン目から４５ライン目をカウントすると、第２の分離制御部２００４により、第４のセレクタ２００３がＨ側に接続され、時間軸圧縮音声信号を分離し、時間軸伸長部１０４に出力する。
【００４６】
時間軸圧縮音声信号は、図１１に示すように、分離制御信号がＬＯＷの期間のデータを音声信号とみなし、時間軸圧縮された音声信号を分離制御信号がＬＯＷの期間だけサンプリング周波数ｆｖで入力し、それをサンプリング周波数ｆａでもってたたき出すことで、時間軸伸長された音声信号が得られる。
【００４７】
そして、音声クロック再生部１０５では、信号送信装置から送られてきた映像クロックを元にしてＰＬＬ（Phase Lock Loop）をかけて音声クロックを再生し、時間軸伸長部１０４に音声クロックを供給することで、音声信号が再生される。
【００４８】
以上のように、本発明の実施の形態１による信号伝送システムによれば、多重部において制御信号を映像信号の存在しない垂直同期期間の１ライン目に多重し、時間軸圧縮された音声信号を映像信号の存在しない垂直同期期間の２ライン目以降及び水平同期期間に多重することで、映像信号と音声信号と制御信号を同一のデータライン１０６で送ることが可能となる。
【００４９】
また、信号受信装置ではデータライン１０６から流れてきた映像音声制御多重信号を、水平同期信号と垂直同期信号を用いて映像信号を分離抽出し、さらに垂直同期期間の水平ライン数をカウントし、音声信号と制御信号を分離抽出することで、映像信号と音声信号と制御信号とを分離することができる。
【００５０】
また、音声信号を信号送信装置で時間軸圧縮し、信号受信装置側で時間軸伸長するようにしたから、音声信号を映像信号の隙間に多重し、また、分離することが可能となる。
【００５１】
なお、本実施の形態１において、分離制御信号がＬＯＷの期間のデータを音声信号とみなす説明をしたが、回路構成においてはこれらに限定されるものではない。
【００５２】
実施の形態２．
以下、本実施の形態２にかかる信号伝送システムについて図１４から図１７を用いて説明する。なお、実施の形態２は、実施の形態１による信号伝送システムをＤＶＩ（Digital Visual Interface）規格に適用したものである。
【００５３】
図１４は、実施の形態２による信号伝送システムの構成を示す図である。
図１４において、３０１は時間軸圧縮部であり、実施の形態１で用いた時間軸圧縮部１０１と同一であるので、ここでは説明を省略する。
３０２は分解部であり、時間軸圧縮された音声信号を分解し、ＤＶＩ規格のＣＴＬ１，ＣＴＬ２，ＣＴＬ３の信号に重畳するものである。なお、制御信号を音声信号に重畳するための制御信号重畳手段を含む。
【００５４】
ここで、制御信号重畳手段について図１８を用いて説明する。図において、５０１は第１のセレクタであり、制御信号と時間軸圧縮音声信号を選択出力するものである。なお、本実施の形態２ではＣＴＬ１に重畳された時間軸圧縮音声信号について説明する。５０２は水平ラインカウンタであり、画面上の水平ラインをカウントするものである。５０３は多重制御部であり、水平ラインカウンタ５０２からの信号に応じて第１のセレクタ５０１を制御する多重制御信号を出力する。なお、本実施の形態２では、ＣＴＬ１には時間軸圧縮音声信号だけでなく、制御信号も多重する。第１の水平ラインカウンタ５０２で垂直同期信号と水平同期信号をもとにして水平ライン数をカウントし、垂直同期期間の１ライン目では第１のセレクタ５０１は制御信号を選択出力し、垂直同期期間の２ライン目以降では第１のセレクタ５０１は音声信号を選択出力する。このようにすることで、ＣＴＬ１に制御信号と時間軸圧縮音声信号とを多重できる。また、ＣＴＬ１の１ライン目に制御信号を重畳するので、ＣＴＬ２及びＣＴＬ３の１ライン目をＣＴＬ１に重畳される音声とタイミングを合わせるために、未使用（Reserved）にしておいても構わない。なお、本実施の形態２では、分解部３０２に制御信号重畳手段が含まれる場合について説明したが、分解部３０２とは別の構成で独立したものであってもよい。
【００５５】
３０３〜３０５はＴＭＤＳエンコーダ／シリアライザ、３０６〜３０８はＴＭＤＳデコーダ／リカバリーである。
３０９は合成部であり、ＣＴＬ１，ＣＴＬ２，ＣＴＬ３から音声信号を合成する。なお、音声制御多重信号を制御信号と音声信号に分離するための制御信号分離手段を含む。
【００５６】
ここで、制御信号分離手段について図１９を用いて説明する。図において、６０１は第２のセレクタであり、制御信号と音声信号とを分離するものである。６０２は水平ラインカウンタであり、画面上の水平ラインをカウントするものである。６０３は分離制御部であり、水平ラインカウンタ６０２からの信号に応じて第２のセレクタ６０１を制御する分離制御信号を出力する。なお、本実施の形態２では、合成部３０９に制御信号分離手段が含まれる場合について説明したが、合成部３０９とは別の構成で独立したものであってもよい。すなわち、ＴＭＤＳデコーダ／リカバリー３０７から出力されたＣＴＬ１を入力し、時間軸圧縮音声信号（ＣＴＬ１）と制御信号とに分離し、分離した時間軸圧縮音声信号を合成部３０９に出力するようにしても良い。
３１０は時間軸伸長部であり、合成部３０９から出力された時間軸圧縮音声信号を伸長するものである。
【００５７】
この図において、伝送路のチャンネル０にはＢＬＵＥと映像信号のＨＳＹＮＣ，ＶＳＹＮＣが時分割多重されたシリアルデータが伝送され、チャンネル１においてはＧＲＥＥＮと音声制御多重信号（ＣＴＬ１）が時分割多重されたシリアルデータが伝送され、チャンネル２ではＲＥＤと時間軸圧縮音声信号（ＣＴＬ２，ＣＴＬ３）が時分割多重されたシリアルデータが伝送される。
【００５８】
図１５に実施の形態２における伝送路上の信号の様子を示す。図１５（ａ）には、ＴＭＤＳエンコーダ３０３〜３０５への入力のデータを示す。ＤＥ（データイネーブル）信号がＬＯＷの間にＣＴＬが挿入される。すなわち、ＣＴＬ１に時間軸圧縮音声信号と制御信号が重畳され、ＣＴＬ２，ＣＴＬ３に時間軸圧縮音声信号が重畳され、ＴＭＤＳエンコードされる。図１５（ｂ）には、伝送路上の信号を示す。伝送路上では、チャンネル２にエンコードされたＣＴＬ２，３が重畳され、チャンネル１にエンコードされたＣＴＬ１が重畳される。そして、これらにより伝送路では、水平同期信号の期間に時間軸圧縮音声信号が重畳され，垂直同期信号の期間に時間軸圧縮音声信号と制御信号が重畳される。図１５（ｃ）には、信号受信装置側でＴＭＤＳデコーダ／リカバリー３０６〜３０８にてＴＭＤＳデコード，リカバーされたデータを示す。このリカバーされたデータというのは、信号送信装置における入力のデータと全く同一のものである。
【００５９】
以上のように構成された信号伝送システムの動作について説明する。
次に信号受信装置における音声を分離する方法を図１６を用いて説明する。
まず、チャンネル０デコーダ３５０によりチャンネル０の信号をデコードし、ＢＬＵＥ信号、ＤＥ信号、水平同期期間（ＨＳＹＮＣ）、垂直同期期間（ＶＳＹＮＣ）を生成する。このＤＥ信号がＬＯＷの期間を時間軸圧縮音声信号と制御信号が多重化されている期間とみなし、チャンネル１デコ―ダ３５１，チャンネル２デコーダ３５２に対してＤＥ信号を供給し、映像信号と音声制御多重信号を分離する。このようにして、ＣＴＬ１に音声制御多重信号、ＣＴＬ２，ＣＴＬ３のラインに分離された時間軸圧縮音声信号があらわれる。
【００６０】
次に信号受信装置でのデコード方法について図１７を用いて説明する。
図１７において、チャンネル２に伝送されてきた信号をシリアル／パラレル変換回路３６１によりシリアル／パラレル変換し、ＤＥ信号がＨＩＧＨの期間は映像信号とみなし、デコーダ３６４により１０ビット／８ビットＴＭＤＳデコードを行い、これによりＲＥＤ信号を得ることができる。そして、ＤＥ信号がＬＯＷの期間は時間軸圧縮音声信号とみなし、デコーダ３６５により１０ビット／２ビットＴＭＤＳデコードを行い、ＣＴＬ２とＣＴＬ３のラインに時間軸圧縮音声信号を得ることができる。
【００６１】
同様にチャンネル１においても伝送されてきた信号をシリアル／パラレル変換回路３６０によりシリアル／パラレル変換し、ＤＥ信号がＨＩＧＨの期間はＧＲＥＥＮの映像信号とみなし、デコーダ３６２により１０ビット／８ビットＴＭＤＳデコードを行う。そして、ＤＥ信号がＬＯＷの期間にはデコーダ３６３により１０ビット／２ビットＴＭＤＳデコードを行い、ＣＴＬ１に音声制御多重信号とを得ることができる。そして、音声制御多重信号（ＣＴＬ１）は、図１９に示した制御信号分離手段により時間軸圧縮音声信号（ＣＴＬ１）と制御信号に分離される。
【００６２】
このように、ＣＴＬライン上で得られた時間軸圧縮音声信号を、合成部３０９で合成し、さらに、時間軸伸長部３１０でレート変換することにより、元の音声信号を得ることができる。
【００６３】
次に、ＣＴＬ１に多重されている制御信号と、時間軸圧縮音声信号を分離抽出する方法を図１９を用いて説明する。図１９は、音声制御多重信号から重畳されている制御信号を分離するための制御信号分離手段の構成を示す図である。
【００６４】
水平ラインカウンタ６０２により画面内の水平ラインをカウントする。水平ラインは、チャンネル０デコーダ３５０で生成される水平同期信号（ＨＳＹＮＣ）、垂直同期信号（ＶＳＹＮＣ）を用いて、垂直同期信号の立下りを基準にして水平同期信号の立下りをカウントすることでカウントすればよい。
【００６５】
水平ラインカウンタ６０２の出力が１ライン目を示したら制御信号とみなして、分離制御部６０３により第２のセレクタ６０１を切り替え、音声制御多重信号から制御信号を抽出する。また、水平ラインカウンタ６０２の出力が垂直同期期間の２ライン目以降なら時間軸圧縮音声信号とみなして、分離制御部６０３により第２のセレクタ６０１を切り替え、音声制御多重信号から時間軸圧縮音声信号を抽出する。このようにして、音声制御多重信号を制御信号と時間軸圧縮音声信号とに分離する。
【００６６】
なお、分解部３０２においては、時間軸圧縮された音声信号をＣＴＬ１，ＣＴＬ２，ＣＴＬ３の３本に分解するわけであるが、音声信号の帯域によってはＣＴＬ１の１本のみを、あるいはＣＴＬ２，ＣＴＬ３の２本を使うという使い方をしても構わない。また、音声信号のサンプリング点の順番に従って、ＣＴＬ１，ＣＴＬ２，ＣＴＬ３，ＣＴＬ１，ＣＴＬ２，ＣＴＬ３…の順に分解すればよい。
【００６７】
また、合成部３０９では、伝送路から流れてきた音声信号をデコードしたものに対して、ＣＴＬ１，ＣＴＬ２，ＣＴＬ３の順番で音声信号がやってきているとみなして、合成すればよい。なお、ＣＴＬ１，ＣＴＬ２，ＣＴＬ３の順でなくともこの３本を任意の順番で使っても構わないが、信号送信装置と信号受信装置でこの分解，合成の順は取り決めておく必要がある。
【００６８】
このように、実施の形態２による信号伝送システムによれば、実施の形態１における信号伝送システムの構成をＤＶＩ規格に適用し、時間軸圧縮音声信号を分解してＣＴＬ１，ＣＴＬ２，ＣＴＬ３のラインに重畳し、また、制御信号を音声信号と識別できるようにＣＴＬの異なる水平ラインに重畳し、信号受信装置ではＣＴＬ１，ＣＴＬ２，ＣＴＬ３で伝送されてきた時間軸圧縮音声信号を合成し、時間軸伸長して音声信号を復元するようにし、また、時間軸時圧縮音声信号と制御信号が多重されたＣＴＬ１から音声信号と制御信号を水平ラインで識別して分離抽出することで、従来映像しか伝送できなかったＤＶＩ規格の信号伝送システムにおいて、音声信号及び制御信号も伝送可能とできる。
【００６９】
なお、本実施の形態２では、ＣＴＬ１に制御信号を多重したが、同様な方法でもってＤＶＩ規格のＣＴＬ２，ＣＴＬ３といったほかのＣＴＬ信号に制御信号を重畳しても構わないし、それらのうち複数のＣＴＬ信号に制御信号を重畳しても構わない。
【００７０】
また、実施の形態１，２の説明では、ＣＴＬ１の１ライン目に制御信号を重畳したが、垂直同期期間なら何ライン目に制御信号を重畳しても構わないし、ＣＴＬ１の複数のラインに制御信号を重畳しても構わない。
【００７１】
このようなシステムにおいて、ＣＴＬ１の１ライン目の制御信号をさらに分割して、例えば、図１２に示すように、制御信号を全メーカで規定する部分と、メーカ独自の制御信号部分の領域に分割して伝送する。ここで、全メーカを規定する部分とは、複数のメーカ間で取り決められたフォーマットまたは規格を用いてディスプレイを制御するためのものであり、例えば、信号送信装置が信号受信装置に限らず信号を送信し、信号受信装置のディスプレイに画面を表示することができる。メーカ独自の制御信号部分とは、各メーカ独自のフォーマットにより制御する場合、例えば、信号受信装置の製品番号等を特定するためのものである。これにより、同一メーカの接続時に、例えば、高画質に表示することが可能となる。このとき、メーカコードや機種コードがＤＶＩ規格で規定されているＩＩＣで別途伝送する。
【００７２】
また、別の方法として、ＣＴＬ１の１ライン目の制御信号をさらに分割して、例えば、図１３に示すように、制御信号を全メーカで規定する部分と、メーカ独自の制御信号部分と、メーカコードと機種コード等の機器を特定するための機器特定情報を示す部分に領域分割し伝送してもよい。
【００７３】
また、受信した接続されている装置の機器の情報をＯＳＤ表示してもよい。
なお、本実施の形態２では、ＤＶＩ規格に基づき、ＣＴＬに制御信号を重畳させた例を説明したが、本発明はこれに限定されるものではなく、ディジタル信号の伝送における制御信号を利用するものであってもよい。
【００７４】
実施の形態３．
以下に、実施の形態３による信号伝送システムについて説明する。なお、本実施の形態３は、実施の形態１で説明した信号伝送システムにおいて、信号送信装置がシネマの２４Ｐで伝送されてきた信号や３０Ｐで撮像した信号を、信号受信装置へ伝送する場合について説明する。一般的に、映画のテレビジョン映像信号では、同じフレーム（画面）の映像が２度／３度の周期で送られてくる。これは、映画が２４Ｈｚ（２４コマ／秒）で動作しているのに対して、テレビジョン映像信号は６０Ｈｚ（地域によっては５０Ｈｚ）で動作するからである。
【００７５】
ここで、図２０に映画の画像を６０Ｈｚの２度／３度の周期で送付されてくるテレビジョン信号の例を示す。
図２０において、制御信号１及び制御信号２はＭＰＥＧデコーダから出力され、音声信号とともにブランキング期間に重畳されてディジタル送信されたものである。制御信号１は、フィールドリピートが行われているかどうかを示す信号であり、ここでは、ＨＩＧＨ（Ｈ）の時にフィールドリピートが生じるものとする。制御信号２は、フィールドが同一画像をリピートしている期間を示す信号である。また、ａ，ａ’は２度リピート、ｂ，ｂ’，ｂは３度リピートしている状態を示している。これら制御信号１及び制御信号２は、例えば、ＳＴＢやＤＶＤ等の信号源から高速ディジタルインターフェースを通じて伝送されてくるものである。ここで、４８０ｉはインターレース信号であるため、フィールド間で信号が異なるが（例えば、「a」及び「a’」）もともとは同じ映像「Ａ」であるため、制御信号１は「Ｈ」、制御信号２はａ，ａ’の２フィールド間「Ｌ」、ｂ，ｂ’，ｂの３フィールド間「Ｈ」を示している。この制御信号２をもとのプログレッシブ表示する表示装置は、それぞれのフィールド情報があると高画質に「Ａ」や「Ｂ」を再生することが可能となる。通常のＩＰ変換では動きを検出し、適応的に内挿処理を行うが、この場合は完全なプログレッシブ映像を再生することができる。このようにすれば、実施の形態１で説明した信号伝送システムにおいて、シネマの２４Ｐで伝送されてきた信号や３０Ｐで撮像した信号に対して、図２０に示すように、２４Ｐもしくは３０Ｐの特殊シーケンスの時の制御信号１をＨＩＧＨにして、制御信号２でそのシーケンスを送付することにより、受像機側で高画質にプログレッシブに変換が可能となる。
【００７６】
このように実施の形態３による信号伝送システムによれば、映像信号に、音声信号と映画のシーケンスを判別する情報を含む上記制御信号とを多重し伝送するようにしたので、シネマモードの２４Ｐ信号や３０Ｐ信号を高画質にモニタに表示することができる。なお、本実施の形態３による信号伝送システムは、５０Ｈｚ時に２５Ｐ等の信号が含まれる場合、また、２４Ｐや３０Ｐモードの時は、ＯＳＤにその内容を直接表示する、もしくは、通常表示の色を変える等の変化を与える信号が含まれる場合も適用可能である。
【００７７】
実施の形態４．
以下に、実施の形態４による信号伝送システムについて説明する。
図２１は、本実施の形態４による信号伝送システムの構成を示す図であり、図に示すように、ＭＰＥＧ等で圧縮された信号が入力されたとき、その信号の圧縮率情報やＭＰＥＧフレーム情報（Ｉ／Ｐ／Ｂ）やブロックノイズの境界位置情報やデータ放送（文字）か動画かを示すコンテンツ種類情報を制御信号で伝送する信号伝送システムである。
【００７８】
図２１において、４０００はＳＴＢ等の映像信号源、４００１はＣＲＴまたは液晶、プラズマ等の表示装置、４００２はＭＰＥＧデコーダ、４００３はＤＶＩのトランスミッタ、４００４はＤＶＩ方式のケーブル、４００５はＤＶＩレシーバ、４００６は専用ＬＳＩもしくはＤＳＰ構成の画質補正装置、４００７はＣＰＵである。
【００７９】
図２３は、ＭＰＥＧデコーダ４００２の構成を示す図である。
図２３において、ＭＰＥＧデコード手段４１０１は、入力ストリームをデコードする。ブロックノイズ検出手段４１０２は、各画面ごとにブロック状のノイズが発生するブロックを検出し、該検出したブロックの境界位置をブロックノイズ境界位置情報として出力する。なお、ブロックノイズの検出は各画面毎に行われてもよく、また、特定の領域、特定の画面に限定して行われても良い。また、予め特定されたブロックのみの位置情報をブロックノイズ境界位置情報として出力するものであってもよい。
【００８０】
図２４は、表示装置４００１の画像補正装置４００６とＣＰＵ４００７の構成を示す図である。
図２４において、ＣＰＵ４００７は、入力された制御信号に含まれるブロックノイズ境界位置情報をデコードし、画質補正装置４００６に出力するブロックノイズ境界位置情報デコード手段４１０３を含む。画質補正装置４００６は、入力されたＲＧＢ信号のノイズ除去を行うブロックノイズ除去フィルタ４１０４と、ブロックノイズ位置情報に基づいて、ＲＧＢ信号あるいはブロックノイズ除去フィルタ４１０４の出力信号を選択する選択器４１０５と含む。
【００８１】
以上のように構成された信号伝送システムの動作について説明する。
映像信号源４０００側では、トランスポートストリーム（ＴＳ）がＭＰＥＧデコーダ４００２に入力される。そして、ＭＰＥＧデコーダ４００２では、入力されたトランスポートストリーム（ＴＳ）がＭＰＥＧデコード手段４１０１によりデコードされ、ブロックノイズ検出手段４１０２とＤＶＩトランスミッタ４００３に出力される。ブロックノイズ検出手段４１０２では、各画面ごとにブロック状のノイズが発生するブロックが検出され、該検出ブロックの境界位置がブロックノイズ境界位置情報としてＤＶＩトランスミッタ４００３へ出力される。なお、ブロックノイズの検出は各画面毎に行われてもよく、また、特定の領域、特定の画面に限定して行われても良い。また、予め特定されたブロックのみの位置情報をブロックノイズ境界位置情報として出力するものであってもよい。
【００８２】
ＭＰＥＧデコーダ４００２にてデコードされた映像信号と音声信号と制御信号は、ＤＶＩトランスミッタ４００３にて多重され、ＤＶＩ方式ケーブル４００４を通じて表示装置４００１へ入力される。
【００８３】
表示装置４００１側では、ＤＶＩレシーバ４００５から映像信号とブロックノイズの境界位置情報を含む制御信号が出力される。ＤＶＩレシーバ４００５から出力された制御信号はＣＰＵ４００７に入力され、ＣＰＵ４００７にてデコードされ、ブロックノイズ境界位置情報が画質補正装置４００６に出力される。画質補正装置４００６では、ＤＶＩレシーバ４００５から送られたＲＧＢ信号がブロックノイズ除去フィルタ４１０４によりノイズ除去処理がなされた信号とＲＧＢ信号とが選択器４１０５に入力される。選択器４１０５では、ＣＰＵ４００７から送られたブロックノイズ位置情報に基づいて、例えば、ブロックノイズ位置情報に相当する信号が入力されている場合、ブロックノイズフィルタ４１０４の出力信号を選択し、それ以外の場合、ＲＧＢの信号を選択し、表示デバイスに出力される。
【００８４】
ここで、図２２にブロックノイズの一例を示す。
ＭＰＥＧで圧縮された信号は、そのエンコード時に８dot×８line毎にＤＣＴ処理が行われ、圧縮するためにそれらの信号情報がまるめられるので、８×８毎の格子状のノイズが見られる。このように場所が固定的にブロック状のノイズの正確な位置が認識できれば、その画素間でフィルタをかけることが可能となる。当該ディジタル信号のベースバンド信号伝送方式において、前記ブロックの境界情報を制御信号として送信することにより、ブロックノイズ除去フィルタ４１０４はブロックノイズ境界位置情報によって適応的にフィルタリングできるようになり、ブロックノイズの除去が可能となる。
【００８５】
なお、本実施の形態４では、制御信号がブロックノイズ境界位置情報を含む場合について説明したが、上記制御信号が圧縮率データやＭＰＥＧフレーム情報やコンテンツ種類情報を含んでもよい。この場合、出力された圧縮率データ／フレーム情報／コンテンツ種類情報を含む制御信号がＣＰＵ４００７に入力され、ＭＰＥＧ圧縮率データ／ＭＰＥＧフレーム情報／コンテンツ種類情報に応じて画質補正装置４００６が制御されるようにしてもよい。また、ＤＶＩレシーバ４００５から出力されるＭＰＥＧ圧縮率データ／ＭＰＥＧフレーム情報／ブロックノイズ境界位置情報／コンテンツ種類情報をＣＰＵ４００７ではなく、直接、画質補正装置４００６に入力し、その内部で画質補正を行ってもよい。また、ＤＶＩレシーバ４００５から出力される圧縮率データを用いて圧縮率情報をＯＳＤとして画面表示してもよい。
【００８６】
このように実施の形態４による信号伝送システムによれば、ブロックノイズ境界位置情報等を含む制御信号を伝送することで、受信側でそのデバイス（ＣＲＴ／ＬＣＤ／ＰＤＰ等）の特性に応じたＭＰＥＧノイズや出力コンテンツに最適な画質補正が可能となり、高品質の映像を視聴者に提供できる信号伝送システムを実現可能である。
【００８７】
【発明の効果】
以上のように、第１の信号送信装置の発明によれば、音声信号を時間軸上で圧縮し、時間軸圧縮音声信号として出力する時間軸圧縮部と、映像信号と制御信号と上記時間軸圧縮音声信号とを多重し、映像音声制御多重信号として外部へ出力する多重部と、を備えたことより、映像信号と音声信号と制御信号を多重し伝送でき、その結果、アナログ信号に変換することなく、高品質の多種多様のディジタル音声信号を伝送できるとともに、高速でエラーの少ない伝送が可能となる。
【００８８】
第２の信号送信装置の発明によれば、第１の信号送信装置の発明において、上記多重部は、画面の水平ライン数をカウントする第１の水平ラインカウンタと、上記制御信号と上記時間圧縮音声信号のいずれか一方を選択し出力する第１のセレクタと、上記第１のセレクタを制御する第１の多重制御部と、上記第１のセレクタの出力信号と上記映像信号とを選択し出力する第２のセレクタと、上記第２のセレクタを制御する第２の多重制御部と、を備えたことより、映像信号と時間軸圧縮音声信号と制御信号との多重を容易に行うことができる。
【００８９】
第３の信号送信装置の発明によれば、ＲＧＢの映像信号をシリアルデータとして送信する信号送信装置において、ＲＥＤ、ＧＲＥＥＮ、ＢＬＵＥの信号線のいずれか、もしくは全ての映像信号のブランキング部分に、接続するモニタ等を制御する制御信号を多重し送信するようにしたので、映像信号と音声信号と制御信号を多重し伝送でき、その結果、アナログ信号に変換することなく、高品質の多種多様のディジタル音声信号を伝送できるとともに、高速でエラーの少ない伝送が可能となる。
【００９０】
第４の信号送信装置の発明によれば、第３の信号送信装置の発明において、音声信号を時間軸上で圧縮し、時間軸圧縮音声信号として出力する時間軸圧縮部と、上記時間軸圧縮音声信号を分解し、第１のコントロール信号、第２のコントロール信号、第３のコントロール信号に重畳する分解部と、上記第１のコントロール信号に上記制御信号を重畳する制御信号重畳手段と、を備えたことより、映像信号に時間軸圧縮した音声信号と制御信号を重畳し、ＤＶＩ規格に適合する信号伝送システムを実現可能である。
【００９１】
第５の信号送信装置の発明によれば、第１から第４の信号送信装置の発明において、上記制御信号は、制御信号の内容を全メーカで規定する部分と、各メーカ独自の制御信号部分とからなることより、同一のメーカ接続時に、高画質に表示することができる信号伝送システムを実現可能である。
【００９２】
第６の信号送信装置の発明によれば、第１から第４の信号送信装置の発明において、上記制御信号は、制御信号の内容を全メーカで規定する部分と、機器を判別するための機器判別制御部分と、メーカ毎の独自の制御信号部分とからなるものであることより、信号を送信すべき機器を特定し、同一のメーカ接続時に、高画質に表示することができる信号伝送システムを実現可能である。
【００９３】
第７の信号送信装置の発明によれば、第１から第４の信号送信装置の発明において、上記制御信号は、映画のシーケンスを判別する情報を含むことより、２４Ｐや３０Ｐ信号等の特殊シーケンスを信号受信装置へ伝送し、受信側で高画質にモニタ表示することができる信号伝送システムを実現可能である。
【００９４】
第８の信号送信装置の発明によれば、第１から第４の信号送信装置の発明において、上記制御信号は、映像の圧縮率を示す情報を含むことより、最適な画質で表示できる信号伝送システムを実現可能である。
【００９５】
第９の信号送信装置の発明によれば、第１から第４の信号送信装置の発明において、上記制御信号は、映像のフレーム情報を含むことより、最適な画質で表示できる信号伝送システムを実現可能である。
【００９６】
第１０の信号送信装置の発明によれば、第１から第４の信号送信装置の発明において、上記制御信号は、映像がデータ放送画面であるか、あるいは、通常の動画面であるかを判別する情報を含むことより、最適な画質で表示できる信号伝送システムを実現可能である。
【００９７】
第１１の信号送信装置の発明によれば、第１から第４の信号送信装置の発明において、上記制御信号は、映像のブロックノイズ位置を示す情報を含むことより、映像信号のノイズ情報を受信装置に送信でき、その結果、ノイズ除去して表示する信号伝送システムを実現可能である。
【００９８】
第１２の信号受信装置の発明によれば、映像信号と時間軸圧縮された時間軸圧縮音声信号と制御信号とが多重された映像音声制御信号を受信する信号受信装置であって、上記映像音声制御信号を上記映像信号と上記時間軸圧縮音声信号と上記制御信号とに分離する分離部と、上記時間軸圧縮音声信号に対し時間軸伸長を行い、元の音声信号を復元する時間軸伸長部と、上記信号装置から映像クロックを受信し、該映像クロックを元に音声クロックを再生し、上記時間軸伸長部に出力する音声クロック再生部と、を備えたことより、映像信号と音声信号と制御信号を多重し伝送でき、その結果、アナログ信号に変換することなく、高品質の多種多様のディジタル音声信号を伝送できるとともに、高速でエラーの少ない伝送できる信号伝送システムを実現可能である。
【００９９】
第１３の信号受信装置の発明によれば、第１２の受信装置の発明において、上記分離部は、画面の水平ライン数をカウントする第２の水平ラインカウンタと、上記映像音声制御多重信号を映像信号と音声制御多重信号とに分離する第３のセレクタと、第３のセレクタを制御する第１の分離制御部と、上記音声制御多重信号を制御信号と時間軸圧縮音声信号とに分離する第４のセレクタと、上記第４のセレクタを制御する第２の分離制御部と、を備えたことより、映像音声制御多重信号から映像信号と時間軸圧縮音声信号と制御信号との分離を容易に行うことができる。
【０１００】
第１４の信号受信装置の発明によれば、ＲＧＢの映像信号をシリアルデータとして受信する信号受信装置において、ＲＥＤ、ＧＲＥＥＮ、ＢＬＵＥの信号線のいずれか、もしくは全ての映像信号のブランキング部分に多重された、接続するモニタ等を制御する制御信号を抽出するようにしたので、映像信号と音声信号と制御信号を多重し伝送でき、その結果、アナログ信号に変換することなく、高品質の多種多様のディジタル音声信号を伝送できるとともに、高速でエラーの少ない伝送できる信号伝送システムを実現可能である。
【０１０１】
第１５の信号受信装置の発明によれば、第１４の信号受信装置の発明において、第１のコントロール信号から音声制御多重信号を抽出し、該音声制御多重信号を時間軸圧縮音声信号と制御信号とに分離する制御信号分離手段と、第２，第３のコントロール信号から抽出した時間軸圧縮音声信号と、上記制御信号分離手段により分離された上記時間軸圧縮音声信号とを合成する合成部と、上記合成された時間軸圧縮音声信号に対し時間軸伸長を行い、元の音声信号を復元する時間軸伸長部と、を備えたことより、映像音声制御多重信号から映像信号と時間軸圧縮した音声信号と制御信号とを分離し、時間軸圧縮音声信号を音声信号に復元することができ、ＤＶＩ規格に適合する信号伝送システムを実現可能である。
【０１０２】
第１６の信号受信装置の発明によれば、第１２から第１５の信号受信装置の発明において、上記制御信号は、制御信号の内容を全メーカで規定する部分と、各メーカ独自の制御信号部分とからなるものであることより、同一のメーカ接続時に、高画質に表示することができる信号伝送システムを実現可能である。
【０１０３】
第１７の信号受信装置の発明によれば、第１２から第１５の信号受信装置の発明において、上記制御信号は、制御信号の内容を全メーカで規定する部分と、機器を判別するための機器判別制御部分と、メーカ毎の独自の制御信号部分とからなるものであることより、信号を送信すべき機器を特定し、同一のメーカ接続時に、高画質に表示することができる信号伝送システムを実現可能である。
【０１０４】
第１８の信号受信装置の発明によれば、第１２から第１５の信号受信装置の発明において、上記制御信号は、映画のシーケンスを判別する情報を含むことより、２４Ｐや３０Ｐ信号等の特殊シーケンスを受信し、高画質にモニタ表示することができる。
【０１０５】
第１９の信号受信装置の発明によれば、第１２から第１５の信号受信装置の発明において、上記制御信号は、映像の圧縮率を示す情報を含むことより、最適な画質で表示できる信号伝送システムを実現可能である。
【０１０６】
第２０の信号受信装置の発明によれば、第１２から第１５の信号受信装置の発明において、上記制御信号は、映像のフレーム情報を含むことより、最適な画質で表示できる信号伝送システムを実現可能である。
【０１０７】
第２１の信号受信装置の発明によれば、第１２から第１５の信号受信装置の発明において、上記制御信号は、映像がデータ放送画面であるか、あるいは、通常の動画面であるかを判別する情報を含むことより、最適な画質で表示できる信号伝送システムを実現可能である。
【０１０８】
第２２の信号受信装置の発明によれば、第１２から第１５の信号受信装置の発明において、上記制御信号は、映像のブロックノイズ位置を示す情報を含むことより、映像信号のノイズ情報を受信し、ノイズ除去して表示できる信号伝送システムを実現可能である。
【図面の簡単な説明】
【図１】実施の形態１による信号伝送システムの構成を示す図である。
【図２】映像信号と時間軸圧縮前の音声信号との関係を示す図である。
【図３】水平同期期間、垂直同期期間，有効画面を説明するための図である。
【図４】実施の形態１による信号伝送システムにおける時間軸圧縮部の構成を示す図である。
【図５】実施の形態１による信号伝送システムにおける時間軸圧縮を説明するための図である。
【図６】実施の形態１による信号伝送システムにおける多重部の構成を示す図である。
【図７】実施の形態１による信号伝送システムにおける映像信号と音声信号と制御信号の多重の様子を示す図である。
【図８】実施の形態１による信号伝送システムにおける分離部の構成を示す図である。
【図９】実施の形態１による信号伝送システムにおける映像信号と音声信号と制御信号の分離の様子を示す図である。
【図１０】実施の形態１による信号伝送システムにおける時間軸伸長部の構成を示す図である。
【図１１】実施の形態１による信号伝送システムにおける時間軸伸長を説明するための図である。
【図１２】制御信号の一例を示す図である。
【図１３】制御信号の一例を示す図である。
【図１４】実施の形態２による信号伝送システムの構成を示す図である。
【図１５】実施の形態２による信号伝送システムにおける各信号の様子を示す図である。
【図１６】実施の形態２による信号伝送システムにおける映像信号と音声信号と制御信号の分離の様子を示す図である。
【図１７】実施の形態２による信号伝送システムにおける映像信号と音声信号の分離の様子を示す図である。
【図１８】実施の形態２による信号伝送システムにおける音声信号と制御信号の多重の様子を示す図である。
【図１９】実施の形態２による信号伝送システムにおける音声制御多重信号の分離の様子を示す図である。
【図２０】実施の形態３による信号伝送システムにおける２４Ｐ信号の制御を示す図である。
【図２１】実施の形態４による信号伝送システムの構成図である。
【図２２】図２２は、ブロックノイズの一例を示す図である。
【図２３】実施の形態４による信号伝送システムにおけるＭＰＥＧデコーダの構成図である。
【図２４】実施の形態４による信号伝送システムにおけるＣＰＵ及び画質補正装置の構成図である。
【図２５】従来の信号伝送システムの構成を示す図である。
【符号の説明】
１０１  時間軸圧縮部
１０２  多重部
１０３  分離部
１０４  時間軸伸長部
１０５  音声クロック再生部
１０６  データライン
１０７  クロックライン
１００１  第１のセレクタ
１００２  第１の多重制御部
１００３  水平ラインカウンタ
１００４  第２のセレクタ
１００５  第２の多重制御部
２００１  第３のセレクタ
２００２  第１の分離制御部
２００３  第４のセレクタ
２００４  第２の分離制御部
２００５  第２の水平ラインカウンタ
３０１  時間軸圧縮部
３０２  分解部
３０３、３０４、３０５  Ｔ.Ｍ.Ｄ.Ｓエンコーダ／シリアライザー
３０６、３０７、３０８  Ｔ.Ｍ.Ｄ.Ｓデコーダ／リカバリー
３０９  合成部
３１０  時間軸伸長部
３５０  チャンネル０デコーダ
３５１  チャンネル１デコーダ
３５２  チャンネル２デコーダ
３６０、３６１  シリアル／パラレル変換回路
３６２、３６３、３６４、３６５  デコーダ
５０１  第１のセレクタ
５０２  水平ラインカウンタ
５０３  多重制御部
６０１  第２のセレクタ
６０２  水平ラインカウンタ
６０３  分離制御部
４０００  映像信号源
４００１  表示装置
４００２  MPEGデコーダ
４００３  ＤＶＩトランスミッタ
４００４  ＤＶＩ方式ケーブル
４００５  ＤＶＩレシーバ
４００６  画質補正装置
４００７  ＣＰＵ
４１０１  ＭＰＥＧデコード手段
４１０２  ブロックノイズ検出手段
４１０３  ブロックノイズ境界位置情報デコード手段
４１０４  ブロックノイズ除去フィルタ
４１０５  選択器
２６０１、２６０２、２６０３  Ｔ.Ｍ.Ｄ.Ｓエンコーダ／シリアライザー
２６０４、２６０５、２６０５  Ｔ.Ｍ.Ｄ.Ｓデコーダ／リカバリー
【図１】
0004008688.tif 000002
【図２】
0004008688.tif 000003
【図３】
0004008688.tif 000004
【図４】
0004008688.tif 000005
【図５】
0004008688.tif 000006
【図６】
0004008688.tif 000007
【図７】
0004008688.tif 000008
【図８】
0004008688.tif 000009
【図９】
0004008688.tif 000010
【図１０】
0004008688.tif 000011
【図１１】
0004008688.tif 000012
【図１２】
0004008688.tif 000013
【図１３】
0004008688.tif 000014
【図１４】
0004008688.tif 000015
【図１５】
0004008688.tif 000016
【図１６】
0004008688.tif 000017
【図１７】
0004008688.tif 000018
【図１８】
0004008688.tif 000019
【図１９】
0004008688.tif 000020
【図２０】
0004008688.tif 000021
【図２１】
0004008688.tif 000022
【図２２】
0004008688.tif 000023
【図２３】
0004008688.tif 000024
【図２４】
0004008688.tif 000025
【図２５】
0004008688.tif 000026